(57)【要約】  原稿読取部（１２）によって読み取る原稿の原稿サイズを見込みサイズとして設定する見込みサイズ設定部（ＡＣＳ判定部１５１）と、見込みサイズに応じた第１閾値を決定する閾値決定部（ＡＣＳ判定部１５１）と、カラー画素数が第１閾値以上になるとカラー原稿であると判定するＡＣＳ判定部（１５１）とを具備し、原稿読取部（１２）によって読み取った原稿の実サイズが見込みサイズよりも小さい場合、閾値決定部は、実サイズに応じて第１閾値よりも小さい第２閾値を決定し、カラー画素数が第２閾値以上でカラー原稿であると判定し、カラー画素数が第２閾値未満で白黒原稿であると判定する。
2020039746.tif 000002
【特許請求の範囲】
【請求項１】
原稿読取部によって原稿から読み取った画像データ内のカラー画素数を原稿サイズに応じて決定される閾値と比較することで、カラー原稿であるか白黒原稿であるかを判定する画像処理装置であって、
前記原稿読取部によって読み取る原稿の原稿サイズを見込みサイズとして設定する見込みサイズ設定部と、
前記見込みサイズに応じた第１閾値を決定する閾値決定部と、
前記カラー画素数が前記第１閾値以上になると前記カラー原稿であると判定する判定部と、を具備し、
前記原稿読取部によって読み取った原稿の実サイズが前記見込みサイズよりも小さい場合、前記閾値決定部は、前記実サイズに応じて前記第１閾値よりも小さい第２閾値を決定し、前記判定部は、前記カラー画素数が前記第２閾値以上で前記カラー原稿であると判定し、前記カラー画素数が前記第２閾値未満で前記白黒原稿であると判定する、画像処理装置。
【請求項２】
前記カラー画素数が前記第１閾値以上になった時点でカラー用画像処理を開始させる処理部をさらに備える、請求項１に記載の画像処理装置。
【請求項３】
原稿を複数の領域に分割し、前記領域ごとに原稿読取部によって前記原稿から読み取った画像データ内のカラー画素数を原稿サイズに応じて決定される閾値と比較することで、前記各領域がカラー画像であるか白黒画像であるかを判定する画像処理装置であって、
前記原稿読取部によって読み取る前記原稿の前記原稿サイズを見込みサイズとして設定する見込みサイズ設定部と、
前記見込みサイズに応じた第３閾値を決定する閾値決定部と、
前記原稿の前記領域における前記カラー画素数が前記第３閾値以上になると前記カラー画像であると判定するＡＣＳ判定部とを具備し、
前記原稿読取部によって読み取った前記原稿の実サイズが前記見込みサイズよりも小さい場合、前記閾値決定部は、前記実サイズを複数の前記領域に分割した場合の前記領域における画素数に応じて、前記第３閾値よりも小さい第４閾値を決定し、前記各領域における前記カラー画素数が前記第４閾値以上で、前記各領域が前記カラー画像であると判定し、前記各領域における前記カラー画素数が前記第４閾値未満で、前記各領域が前記白黒画像であると判定する、画像処理装置。
【請求項４】
前記カラー画素数が前記第３閾値以上になった時点でカラー用画像処理を開始させる処理部をさらに備える、請求項３に記載の画像処理装置。
【請求項５】
前記原稿読取部は、前記原稿の表面に光を照射する第１照射部と、前記原稿の裏面に光を照射する第２照射部とを含む、請求項１に記載の画像処理装置。
【請求項６】
前記原稿を前記原稿読取部に給送し、前記原稿の表面と裏面とを反転させる反転部を含む原稿給送部をさらに備える、請求項１に記載の画像処理装置。
【発明の詳細な説明】
【技術分野】
【０００１】
本発明は、原稿から読み取られた画像データに基づいて、カラー原稿又は白黒原稿のいずれであるかを自動判定（以下、ＡＣＳ判定と称す）する機能を有する画像処理装置に関する。
【背景技術】
【０００２】
複写機、ＭＦＰ（Multifunction Peripheral / Printer / Product）等の、原稿から画像データを読み取る画像読取部を有する画像処理装置には、原稿から読み取った画像データをＡＣＳ判定する機能を有しているものがある。【０００３】
一般的に、ＡＣＳ判定は、画像データに含まれたカラー画素の計数を行い、カラー画素数が予め設定された閾値に到達した時点で、カラー原稿であると判定している。
【先行技術文献】
【特許文献】
【０００４】
【特許文献１】特開２００５−３３８０７号公報
【特許文献２】特開２０１０−４１５９５号公報
【発明の概要】
【発明が解決しようとする課題】
【０００５】
しかしながら、従来技術では、カラー画素数と比較する閾値は、原稿をカラー原稿であるとみなすか白黒原稿であるとみなすかの判定基準であり、原稿サイズに応じて原稿サイズが大きい程大きな値に設定される。従って、読み取った原稿の原稿サイズが想定されたものと異なる場合には、ＡＣＳ判定の判定結果が異なってしまうという問題点があった。【０００６】
例えば、載置された原稿の原稿サイズ検知機能を備えた原稿給送部を用いて複数の原稿を読み取る際に、副走査方向が短い原稿が紛れ込んでいるケースでは、読み取った原稿の原稿サイズが想定されたものよりも小さくなる。この場合、副走査方向が短い原稿は、大きな閾値でＡＣＳ判定されることになり、ＡＣＳ判定の判定基準が異なってしまう。【０００７】
本発明は、上記問題点を鑑みてなされたものであり、その目的とするところは、読み取った原稿の原稿サイズが想定されたものよりも小さい場合でも、ＡＣＳ判定を同じ判定基準で統一することができる画像処理装置を提供することを目的とする。
【課題を解決するための手段】
【０００８】
本発明の画像処理装置は、原稿読取部によって原稿から読み取った画像データ内のカラー画素数を原稿サイズに応じて決定される閾値と比較することで、カラー原稿であるか白黒原稿であるかを判定する画像処理装置であって、原稿読取部によって読み取る原稿の原稿サイズを見込みサイズとして設定する見込みサイズ設定部と、前記見込みサイズに応じた第１閾値を決定する閾値決定部と、前記カラー画素数が前記第１閾値以上になると前記カラー原稿であると判定する判定部と、を具備し、前記原稿読取部によって読み取った原稿の実サイズが前記見込みサイズよりも小さい場合、前記閾値決定部は、前記実サイズに応じて前記第１閾値よりも小さい第２閾値を決定し、前記判定部は、前記カラー画素数が前記第２閾値以上で前記カラー原稿であると判定し、前記カラー画素数が前記第２閾値未満で前記白黒原稿であると判定する。
【発明の効果】
【０００９】
本発明によれば、読み取った原稿の原稿サイズが想定されたものよりも小さい場合でも、ＡＣＳ判定を同じ判定基準で統一することができるという効果を奏する。
【図面の簡単な説明】
【００１０】
【図１】本発明に係る画像処理装置の第１実施形態の概略構成を示すブロック図である。
【図２Ａ】図１に示すＡＣＳ判定部による第１実施形態のＡＣＳ判定動作を説明するフローチャートである。
【図２Ｂ】図１に示すＡＣＳ判定部による第１実施形態のＡＣＳ判定動作を説明するフローチャートである。
【図３Ａ】図１に示すＡＣＳ判定部によるＡＣＳ判定動作を説明する説明図である。
【図３Ｂ】図１に示すＡＣＳ判定部によるＡＣＳ判定動作を説明する説明図である。
【図４】図１に示すＡＣＳ判定部による第２実施形態のＡＣＳ判定動作を説明するフローチャートである。
【図５】図１に示すＡＣＳ判定部による第２実施形態のＡＣＳ判定動作を説明するフローチャートである。
【発明を実施するための形態】
【００１１】
（第１実施形態）
以下、図を参照して本発明の実施の形態を詳細に説明する。なお、以下の実施形態において、同様の機能を示す構成には、同一の符号を付してある。
【００１２】
本実施の形態の画像処理装置１は、複写機、ＭＦＰ（Multifunction Peripheral/Printer/Product）等の画像形成装置であり、図１を参照すると、操作部１１と、原稿読取部１２と、原稿給送部１３と、記憶部１４と、画像処理部１５と、印刷部１６と、制御部１７とを備えている。
【００１３】
画像処理装置１は、原稿読取部１２によって原稿から読み取った画像データ内のカラー画素数を原稿サイズに応じて決定される閾値と比較することで、カラー原稿であるか白黒原稿であるかを判定する。
【００１４】
操作部１１は、キーボードやタッチパネル等のユーザーインターフェースである。操作部１１は、原稿読取処理や印刷処理の実行を指示するスタートキーと、印刷設定の入力等を行う各種キーと、設定値やエラー詳細内容等の表示を行う表示部とを含む。また、操作部１１は、スピーカー等の音声出力部を含む。
【００１５】
原稿読取部１２は、原稿に対して光を照射し、その反射光等を受光して原稿をＲＧＢ形式の画像データとして読み取るカラースキャナーである。原稿読取部１２は、原稿が載置されるコンタクトガラスと、原稿給送部１３の搬送経路に設けられたスリットガラスと、原稿に光を照射する照射部と、複数の撮像素子が主走査方向に配列された光電変換素子と、レンズ等の光学部品を含む読取ユニットとを含む。
【００１６】
原稿給送部１３は、原稿載置面に載置された原稿を１枚ずつ順に繰り出して原稿読取部１２に給送する。また、原稿給送部１３は、原稿載置面に載置された原稿の原稿サイズを検知する原稿サイズ検知部１３１を含む。
【００１７】
原稿給送部１３の原稿載置面に原稿が載置された状態で、操作部１１によって原稿の読み取りが指示される。原稿読取部１２は、原稿給送部１３により給送されてくる原稿を読み取る。この場合、原稿読取部１２は、読取ユニットをスリットガラスと対向する位置に移動させ、スリットガラスを介し、原稿給送部１３による給送動作と同期して原稿を読み取って、画像データを取得する。
【００１８】
記憶部１４は、半導体メモリーやＨＤＤ等の記憶手段であり、原稿読取部１２によって読み取られた画像データ等が蓄積される。
【００１９】
画像処理部１５は、ＣＰＵ（Central Processing Unit）、ＲＯＭ（Read Only Memory）、ＲＡＭ（Random Access Memory）等を備えたマイクロコンピュータ等の演算処理回路であり、例えば、拡大縮小処理、濃度調整処理、階調調整処理等の画像処理に係る各種ジョブを実行する。
【００２０】
また、画像処理部１５は、原稿から読み取られた画像データに基づいてカラー原稿又は白黒原稿のいずれであるかを自動判定するＡＣＳ判定部１５１としても機能する。ＡＣＳ判定部１５１は、カラー画素数が第１閾値以上になると、原稿はカラー原稿であると判定する。画像処理部１５は、ＡＣＳ判定部１５１としてカラー原稿であると判定した場合、カラー用画像処理として、ＲＧＢ形式の画像データをＣＭＹ形式の画像データに変換する色空間変換処理、または、ＣＭＹ形式の画像データからブラックを生成する黒生成処理等を実行する。また、画像処理部１５は、ＡＣＳ判定部１５１として白黒原稿であると判定した場合、白黒用画像処理として、ＲＧＢ形式の画像データから白黒画像データを生成する。
【００２１】
印刷部１６には、異なる４色Ｃ（シアン）、Ｍ（マゼンダ）、Ｙ（イエロー）、Ｋ（ブラック）の画像データにそれぞれ対応する４つの画像形成部と、４つの画像形成部に隣接して設けられた中間転写ベルトとを含む。印刷部１６において、４つの画像形成部でそれぞれ形成された４色のトナー像は中間転写ベルト上に順次転写され、記録紙上に一度に転写される。
【００２２】
制御部１７は、ＣＰＵ（Central Processing Unit）、ＲＯＭ（Read Only Memory）、ＲＡＭ（Random Access Memory）等を備えたマイクロコンピュータ等の演算処理回路である。ＲＯＭには、画像処理装置１の動作制御を行うための制御プログラムが記憶されている。制御部１７は、ＲＯＭに記憶されている制御プログラムを読み出し、制御プログラムをＲＡＭに展開させることで、装置全体の制御を行う。
【００２３】
次に、ＡＣＳ判定部１５１によるＡＣＳ判定動作について、図２Ａおよび図２Ｂ、図３Ａおよび図３Ｂを参照して詳細に説明する。以下、ＡＣＳ判定部１５１によってＡＣＳ判定を実行するモードに設定されているとして説明する。
【００２４】
図２Ａに示すように、原稿給送部１３の原稿載置面に原稿が載置された状態で、操作部１１によって原稿の読み取りが指示されると、ＡＣＳ判定部１５１は、見込みサイズ設定部として機能し、原稿サイズ検知部１３１によって検知された原稿サイズを見込みサイズとして設定する（ステップＳ１０１）。なお、ステップＳ１０１では、ユーザーが操作部１１によって見込みサイズを設定するようにしても良い。この場合、操作部１１が見込みサイズ設定部として機能することになる。
【００２５】
次に、ＡＣＳ判定部１５１は、閾値決定部として機能し、見込みサイズに応じた第１閾値ＴＨ１を決定する。すなわち、ステップＳ１０１で検知された見込みサイズに応じてＡＣＳ判定に用いる閾値を第１閾値ＴＨ１として決定する（ステップＳ１０２）。閾値は、原稿サイズが大きい程大きな値に設定される。
【００２６】
次に、原稿読取部１２は、原稿給送部１３により給送されてくる原稿の読み取りを開始する（ステップＳ１０３）。
【００２７】
ＡＣＳ判定部１５１は、変数ｎに「０」をセットした後（ステップＳ１０４）、カラー画素検出部として機能し、原稿読取部１２が読み取った画像データからカラー画素を検出する（ステップＳ１０５）。なお、カラー画素の検出は、１ライン毎や複数ライン毎（ライン数×１ラインの画素数）に行っても良く、１画素ごとに行っても良い。
【００２８】
次に、ＡＣＳ判定部１５１は、カラー画素カウント部として機能し、ステップＳ１０５で検出した検出画素数ｍをカウントし（ステップＳ１０６）、変数ｎに加算する（ステップＳ１０７）。そして、ＡＣＳ判定部１５１は、変数ｎ（ｎ＝ｎ＋ｍ）が第１閾値ＴＨ１以上か否かを判断する（ステップＳ１０８）。
【００２９】
図２Ｂに示すように、原稿読取部１２は、原稿の読み取りが完了したか否かを判断する（ステップＳ１０９）。ステップＳ１０８とステップＳ１０９とのいずれでもＮｏの場合、図２Ａに示すように、ステップＳ１０５に戻り、ＡＣＳ判定部１５１は、画像データからカラー画素を検出する。これにより、検出されたカラー画素数が変数ｎ（ｎ＝ｎ＋ｍ）として積算されることになる。
【００３０】
図２Ａに示すステップＳ１０８で変数ｎが第１閾値ＴＨ１以上である場合、ＡＣＳ判定部１５１は、カラー原稿と判定する（ステップＳ１１０）。図３Ａに示すように、ラインＸで変数ｎが第１閾値ＴＨ１以上になると、読み取り途中であってもカラー原稿と判定される。
【００３１】
これにより、読み取り途中のカラー原稿と判定されたタイミングで、カラー用画像処理や記録紙の給紙を開始することができ、パフォーマンスを向上させることができる。なお、図３Ａにおいて、「Ａ〜Ｈ」は、カラーで印字された文字列を表している。
【００３２】
次に、図２Ａに示すように、原稿読取部１２は、原稿の読み取りの完了を待ち（ステップＳ１１１）、原稿の読み取りが完了すると、次の原稿があるか否かを判断する（ステップＳ１１２）。
【００３３】
ステップＳ１１２で次の原稿がない場合、原稿読取部１２は、読取動作を終了させ、ＡＣＳ判定部１５１もＡＣＳ判定動作を終了する。ステップＳ１１２で次の原稿がある場合、原稿読取部１２は、ステップＳ１０３に戻って原稿の読み取りを開始する。
【００３４】
図２Ａに示す、ステップＳ１０８で変数ｎが第１閾値ＴＨ１以上になることなく、ステップＳ１０９で原稿の読み取りが完了した場合、ＡＣＳ判定部１５１は、原稿読取部１２によって読み取った原稿の実サイズが見込みサイズ未満か否かを判断する（ステップＳ１１３）。
【００３５】
図３Ｂに示すように、ステップＳ１１３で、原稿読取部１２によって読み取った原稿の実サイズが見込みサイズ以上であった場合、ＡＣＳ判定部１５１は、白黒原稿と判定し（ステップＳ１１４）、ステップＳ１１２に進む。
【００３６】
ステップＳ１１３で、原稿読取部１２によって読み取った原稿の実サイズが見込みサイズ未満であった場合、ＡＣＳ判定部１５１（決定部）は、実サイズに応じてＡＣＳ判定に用いる閾値を第２閾値ＴＨ２として決定する（ステップＳ１１５）。ＡＣＳ判定部１５１は、変数ｎが第２閾値ＴＨ２以上か否かを判断する（ステップＳ１１６）。なお、実サイズは見込みサイズ未満であるため、実サイズに応じて決定される第２閾値ＴＨ２は、見込みサイズに応じて決定された第１閾値ＴＨ１よりも小さい値となる。
【００３７】
ステップＳ１１６で変数ｎが第２閾値ＴＨ２を超えた場合、ＡＣＳ判定部１５１（決定部）は、カラー原稿と判定し（ステップＳ１１７）、ステップＳ１１２に進む。図３Ｂに示すように、原稿の読み取りが完了したラインＹで変数ｎが第１閾値ＴＨ１未満であっても、変数ｎが実サイズに応じて決定される第２閾値ＴＨ２以上でカラー原稿と判定される。
【００３８】
ステップＳ１１６で変数ｎが第２閾値ＴＨ２未満の場合、ＡＣＳ判定部１５１（決定部）は、ステップＳ１１４に進んで白黒原稿と判定する。
【００３９】
以上説明したように、本実施の形態によれば、原稿読取部１２によって原稿から読み取った画像データ内のカラー画素数（変数ｎ）を原稿サイズに応じて決定される閾値と比較することで、カラー原稿であるか白黒原稿であるかを判定する画像処理装置１であって、原稿読取部１２によって読み取る原稿の原稿サイズを見込みサイズとして設定する見込みサイズ設定部（ＡＣＳ判定部１５１）と、見込みサイズに応じた第１閾値ＴＨ１として決定する閾値決定部（ＡＣＳ判定部１５１）と、カラー画素数（変数ｎ）が第１閾値ＴＨ１以上になるとカラー原稿であると判定するＡＣＳ判定部１５１とを具備し、原稿読取部１２によって読み取った原稿の実サイズが見込みサイズよりも小さい場合、閾値決定部は、実サイズに応じて第１閾値ＴＨ１よりも小さい第２閾値ＴＨ２を決定し、カラー画素数（変数ｎ）が第２閾値ＴＨ２以上でカラー原稿であると判定し、カラー画素数（変数ｎ）が第２閾値ＴＨ２未満で白黒原稿であると判定する。
【００４０】
この構成により、読み取った原稿の原稿サイズが想定されたものよりも小さい場合でも、ＡＣＳ判定を同じ判定基準で統一することができる。
【００４１】
さらに、本実施の形態において、画像処理部１５は、カラー画素数（変数ｎ）が第１閾値ＴＨ１以上になった時点でカラー用画像処理を開始させる。
【００４２】
本実施形態によれば、読み取り途中のカラー原稿と判定されたタイミングで、カラー用画像処理を開始することができ、パフォーマンスを向上させることができる。
【００４３】
（第２実施形態）
次に、引き続き、図１に加え、図４及び図５を参照して、第２実施形態を説明する。第２実施形態は、第１実施形態で説明した画像処理を基礎とし、さらに原稿における白黒画像領域とカラー画像領域とを判別し、画像領域ごとに適切な画像処理を行う。第２実施形態で説明されない画像処理は、第１実施形態で説明した画像処理が適用され得る。
【００４４】
第１実施形態は、原稿ごとにカラー原稿か白黒原稿かを判別した。第２実施形態では、原稿を複数の領域に分割し、領域ごとに、カラー画像が印字された領域か、白黒画像が印字された領域かを判別する。
【００４５】
例えば、Ａ４サイズの原稿に白黒の文章が印字されているが、中央部分だけカラーのラインマーカーが引かれた原稿を読み取る場合が考えられる。その場合、ラインマーカーが引かれた領域だけカラー画像処理を行えばよく、その他の領域は白黒画像処理を行えばよい。
【００４６】
第２実施形態では、原稿の見込みサイズの一例をＡ４サイズとし、Ａ４サイズの総画素数の一例を１５００万画素とする。そして、一例として、Ａ４サイズの原稿は、１画素から５００万画素までの第１領域と、５００万１画素から１０００万画素までの第２領域と、１０００万１画素から１５００万画素までの第３領域の３つの領域に分けられる。
【００４７】
さらに、原稿給送部１３に見込みサイズがＡ４サイズの原稿の束が載置されており、そのなかに、実サイズの一例がＡ５サイズの原稿が混在している（ステップＳ１２０）。Ａ５サイズの総画素数の一例を７５０万画素とする。そして、一例として、Ａ５サイズの原稿は、１画素から２５０万画素までの第４領域と、２５０万１画素から５００万画素までの第５領域と、５００万１画素から７５０万画素までの第６領域の３つの領域に分けられる。
【００４８】
原稿給送部１３の原稿載置面に原稿が載置された状態で、操作部１１によって原稿の読み取りが指示されると、ＡＣＳ判定部１５１は、見込みサイズ設定部として機能し、原稿サイズ検知部１３１によって検知された原稿サイズを見込みサイズとして設定する（ステップＳ１２１）。なお、ステップＳ１２１では、ユーザーが操作部１１によって見込みサイズを設定するようにしても良い。この場合、操作部１１が見込みサイズ設定部として機能することになる。
【００４９】
次に、ＡＣＳ判定部１５１は、閾値決定部として機能し、見込みサイズに応じた第３閾値ＴＨ３を決定する。すなわち、ステップＳ１２１で検知された見込みサイズに応じてＡＣＳ判定に用いる閾値を第３閾値ＴＨ３として決定する（ステップＳ１２２）。閾値は、原稿サイズが大きい程大きな値に設定される。
【００５０】
次に、原稿読取部１２は、原稿給送部１３により給送されてくる原稿の第１領域の読み取りを開始する（ステップＳ１２３）。
【００５１】
ＡＣＳ判定部１５１は、変数ｎに「０」をセットした後（ステップＳ１２４）、カラー画素検出部として機能し、原稿読取部１２が読み取った第１領域の画像データからカラー画素を検出する（ステップＳ１２５）。なお、カラー画素の検出は、１ライン毎や複数ライン毎（ライン数×１ラインの画素数）に行っても良く、１画素ごとに行っても良い。
【００５２】
次に、ＡＣＳ判定部１５１は、カラー画素カウント部として機能し、ステップＳ１２５で検出した検出画素数ｍをカウントし（ステップＳ１２６）、変数ｎに加算する（ステップＳ１２７）。そして、ＡＣＳ判定部１５１は、変数ｎ（ｎ＝ｎ＋ｍ）が第３閾値ＴＨ３以上か否かを判断する（ステップＳ１２８）。変数ｎ（ｎ＝ｎ＋ｍ）が第３閾値ＴＨ３未満であるとＡＣＳ判定部１５１が判断する場合（ステップＳ１２８でＮｏ）、図５に示すように、原稿読取部１２は、第１領域の読み取りが完了したか否かを判断する（ステップＳ１２９）。
【００５３】
ステップＳ１２８とステップＳ１２９とのいずれにおいてもＮｏの場合、ステップＳ１２５に戻り、ＡＣＳ判定部１５１は、引き続き、画像データからカラー画素を検出する。これにより、検出されたカラー画素数が変数ｎ（ｎ＝ｎ＋ｍ）として積算されることになる。
【００５４】
ステップＳ１２８で変数ｎが第３閾値ＴＨ３以上である場合（ステップＳ１２８でＹｅｓ）、ＡＣＳ判定部１５１は、第１領域がカラー画像で印字されていると判定する（ステップＳ１３０）。図３Ａに示すように、ラインＸで変数ｎが第３閾値ＴＨ３以上になると、読み取り途中であっても第１領域はカラー画像と判定される。これにより、読み取り途中の第１領域がカラー画像と判定されたタイミングで、カラー用画像処理や記録紙の給紙を開始することができ、パフォーマンスを向上させることができる。
【００５５】
次に、原稿読取部１２は、第１領域の画像の読み取りの完了を待ち（ステップＳ１３１）、第１領域の画像の読み取りが完了すると、次の領域があるか否かを判断する（ステップＳ１３２）。
【００５６】
ステップＳ１３２で次の領域がない場合（ステップＳ１３２でＮｏ）、原稿読取部１２は、読取動作を終了させ、ＡＣＳ判定部１５１もＡＣＳ判定動作を終了する。ステップＳ１３２で次の領域（第２領域）がある場合（ステップＳ１３２でＹｅｓ）、原稿読取部１２は、ステップＳ１２３に戻って、第２領域の読み取りを開始する。
【００５７】
ステップＳ１３２で次の領域（第２領域）がない場合（ステップＳ１３２でＮｏ）、処理は終了する。
【００５８】
ステップＳ１２８で変数ｎが第３閾値ＴＨ３以上になることなく、ステップＳ１２９で第１領域の読み取りが完了した場合、ＡＣＳ判定部１５１は、原稿読取部１２が読み取った画素数が所定数以上であるか否かを判定する（ステップＳ１３３）。
【００５９】
原稿読取部１２が読み取った画素数が所定数以上である場合（ステップＳ１３３でＹｅｓ）、ＡＣＳ判定部１５１は、実サイズがＡ４サイズの原稿における第１領域であると判定する（ステップＳ１３４）。
【００６０】
ＡＣＳ判定部１５１は、Ａ４サイズの原稿で、変数ｎが第３閾値ＴＨ３未満であったことから、第１領域が白黒画像であると判定する（ステップＳ１３５）。その後、ＡＣＳ判定部１５１は、図４に示すステップＳ１３２を処理する。
【００６１】
ステップＳ１２９で第１領域の読み取りが完了していないと判定した場合（ステップＳ１２９でＮｏ）、処理は図４に示すステップＳ１２５に戻り、カラー画素の検出を継続する。
【００６２】
ステップＳ１３３において、原稿読取部１２が読み取った画素数が所定数未満である場合（ステップＳ１３３でＮｏ）、ＡＣＳ判定部１５１は、例えば、実サイズがＡ５サイズの原稿における第４領域であると判定する（ステップＳ１３６）。
【００６３】
ステップＳ１３７で変数ｎが第４閾値ＴＨ４以上になった場合、ＡＣＳ判定部１５１は、Ａ５原稿の第４領域がカラー画像と判定し（ステップＳ１３８）、図４に示すステップＳ１３２に進む。この場合、第４領域の読み取りが完了したラインＹで変数ｎが第３閾値ＴＨ３未満であっても、変数ｎが実サイズに応じて決定される第４閾値ＴＨ４以上で、第４領域はカラー画像と判定される。
【００６４】
ステップＳ１３７で変数ｎが第４閾値ＴＨ４未満の場合（ステップＳ１３７でＮｏ）、ＡＣＳ判定部１５１は、ステップＳ１３９に進んで、第４領域が白黒画像と判定する。そして、処理は、図４に示すステップＳ１３２に進み、第５領域以降の画像処理を行う。
【００６５】
以上説明したように、本実施形態によれば、画像処理装置１は、原稿を複数の領域に分割し、領域ごとに原稿読取部１２によって原稿から読み取った画像データ内のカラー画素数（変数ｎ）を原稿サイズに応じて決定される閾値と比較することで、各領域がカラー画像であるか白黒画像であるかを判定する。
【００６６】
見込みサイズ設定部（ＡＣＳ判定部１５１）は、原稿読取部１２によって読み取る原稿の原稿サイズを見込みサイズとして設定する。閾値決定部（ＡＣＳ判定部１５１）は、見込みサイズに応じた第３閾値ＴＨ３を決定する。ＡＣＳ判定部１５１は、原稿の領域におけるカラー画素数（変数ｎ）が第３閾値ＴＨ３以上になるとカラー画像であると判定する。
【００６７】
原稿読取部１２によって読み取った原稿の実サイズ（Ａ５サイズ）が見込みサイズ（Ａ４サイズ）よりも小さい場合、閾値決定部は、実サイズを複数の領域に分割した場合の領域における画素数に応じて、第３閾値ＴＨ３よりも小さい第４閾値ＴＨ４を決定し、各領域におけるカラー画素数（変数ｎ）が第４閾値ＴＨ４以上で、各領域がカラー画像であると判定し、各領域におけるカラー画素数（変数ｎ）が第４閾値ＴＨ４未満で、各領域が白黒画像であると判定する。
【００６８】
この構成により、読み取った原稿の原稿サイズが想定されたものよりも小さい場合でも、ＡＣＳ判定を同じ判定基準で統一することができる。
【００６９】
また、原稿がカラー画像領域と白黒画像領域とに分かれたレイアウトであっても、それぞれの領域を読み取り途中で、その領域がカラー画像であると判定されたタイミングで、カラー用画像処理を開始することができ、さらにパフォーマンスを向上させることができる。
【００７０】
（第３実施形態）
次に、引き続き、図１〜図５を参照して、第３実施形態を説明する。第３実施形態は、第１実施形態および第２実施形態で説明した画像処理を基礎とし、さらに原稿の両面に画像が形成されていることを検出し、原稿の両面においてカラー画像領域と白黒画像領域とを判別し、領域ごとに好適な画像処理を行う。
【００７１】
カラー画像処理と白黒画像処理については、第１実施形態および第２実施形態で説明した通りであるので、重複する説明を省略する。
【００７２】
原稿読取部１２は、原稿の表面に光を照射する第１照射部１２１と、原稿の裏面に光を照射する第２照射部１２２とを含んでよい。原稿給送部１３により給送されてくる原稿は、第１照射部１２１と第２照射部１２２とにより、両面の画像が読み取られ、それぞれの画像データが記憶部１４に記憶される。その後の画像処理は、第１実施形態および第２実施形態が適用される。
【００７３】
または、原稿読取部１２は、第１実施形態と同様の構成を有し、原稿給送部１３は、原稿の表面と裏面とを反転させる反転部１２３を含んでもよい。
【００７４】
その場合、原稿給送部１３により給送されてくる原稿は、原稿読取部１２により表面の画像が読み取られた後、反転部１２３で表面と裏面とが反転される。そして、原稿の裏面が原稿読取部１２により読み取られた後、それぞれの画像データが記憶部１４に記憶される。
【００７５】
ＡＣＳ判定部１５１は、原稿の表面または裏面ごとに、検出画素数ｍと第１閾値ＴＨ１および第２閾値ＴＨ２とを比較し、カラー画像と白黒画像とを判定する。ＡＣＳ判定部１５１は、原稿の表面の領域ごとに、検出画素数ｍと第３閾値ＴＨ３および第４閾値ＴＨ４とを比較し、各領域がカラー画像か白黒画像かを判定する。ＡＣＳ判定部１５１は、原稿の裏面の領域ごとに、検出画素数ｍと第３閾値ＴＨ３および第４閾値ＴＨ４とを比較し、各領域がカラー画像か白黒画像かを判定する。その後の画像処理は、第１実施形態および第２実施形態が適用される。
【００７６】
本実施形態によれば、Ａ４原稿の束にＡ５原稿が混在し、両面印字された原稿が含まれており、さらにそれぞれの原稿にカラー画像領域と白黒画像領域とが混在していても、原稿の大きさに基づいて好適に原稿のカラー画像領域または白黒画像領域を判別して、領域に応じて好適に画像処理を行うことができる。  
【００７７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図１】
2020039746.tif 000003
【図２Ａ】
2020039746.tif 000004
【図２Ｂ】
2020039746.tif 000005
【図３Ａ】
2020039746.tif 000006
【図３Ｂ】
2020039746.tif 000007
【図４】
2020039746.tif 000008
【図５】
2020039746.tif 000009
【国際調査報告】
2020039746.tif 000010
2020039746.tif 000011